(57)【要約】      （修正有）【課題】ドアへの室外機等の開錠装置の取付位置を常に一定の位置に保つことができる鍵の補助錠を提供する。【解決手段】ドア２３の外側に取り付く開錠装置と、ドア２３の内側に取り付き、操作部材の操作でボックスから突出するデットボルト２７を備えた施錠開錠装置付き室内ボックスと、ドア２３を貫通して前記開錠装置と施錠開錠装置付き室内ボックスを一体的に連結する連結脚３３とを有する鍵の補助錠３５において、前記デットボルト２７を、操作部材の操作で前記施錠開錠装置付き室内ボックスの左右両方向へ突出可能に形成して、当該施錠開錠装置付き室内ボックスを上下に反転させて使用可能とすると共に、前記連結脚３３で開錠装置に連結された施錠開錠装置付き室内ボックスの上下方向の中心軸を、当該開錠装置の上下方向の中心軸より横方向へ偏倚させたことを特徴とする。【選択図】図５
0003178063.tif 000002
【実用新案登録請求の範囲】
【請求項１】
ドアの外側に取り付く開錠装置と、
ドアの内側に取り付き、操作部材の操作でボックスから突出するデットボルトを備えた施錠開錠装置付き室内ボックスと、
ドアを貫通して前記開錠装置と施錠開錠装置付き室内ボックスを一体的に連結する連結脚とを有する鍵の補助錠において、
前記デットボルトを、操作部材の操作で前記施錠開錠装置付き室内ボックスの左右両方向へ突出可能に形成して、当該施錠開錠装置付き室内ボックスを上下に反転させて使用可能とすると共に、
前記連結脚で開錠装置に連結された施錠開錠装置付き室内ボックスの上下方向の中心軸を、当該開錠装置の上下方向の中心軸より横方向へ偏倚させたことを特徴とする鍵の補助錠。
【考案の詳細な説明】
【技術分野】
【０００１】
本考案は、ドアに取り付ける鍵の補助錠に関する。
【背景技術】
【０００２】
一つのドアに主錠の他に補助錠を取り付けるワンドアツーロックが、防犯性を高める上で効果的である。ドアに錠が二つ以上付いていることにより、侵入に時間を要すると思わせるだけでなく、補助錠を付けていると分からせ、犯行を諦めさせる点で有効な防犯対策である。
【０００３】
ところで、従来の補助錠は、鍵またはメカニカルなテンキーボタンでの開錠が一般的であったが、非特許文献１に開示されるように、昨今、ＩＣカードや携帯電話等で錠前を電気的に開錠するタッチパネル非接触ＩＣ式の電気錠（デジタル錠）が広く普及している。
【０００４】
この補助錠は、ドアの外側に取り付く室外リーダー等のボックス状の室外機（開錠装置）と、ドアの内側に取り付くボックス状の室内機（施錠開錠装置付き室内ボックス）とで構成され、室外機の認識部分にＩＣカードや携帯電話をかざしたり、室外機に設けたテンキーボードのテンキー操作で開錠されるようになっている。
【０００５】
室内機には、サムターンやドアの施錠の役目をするデットボルトが装着されており、サムターンの操作でデットボルトが室内機から突出してドアが施錠され、また、サムターンの操作でデットボルトが後退してドアが開錠される構造となっている。
【０００６】
そして、補助錠をドアに取り付ける場合、デットボルトを受けるストライク（受座）をドア枠に取り付けている。周知のようにストライクには、ストライク穴の掘り込み施工を行う図１１の平受けタイプのストライク１と、図１２に示す箱受け施工を行う箱受けタイプのストライク３があり、デットボルト５の位置やドア７の仕様等に応じこれらを適宜選択してドア枠９に取り付けている。
【先行技術文献】
【非特許文献】
【０００７】
【非特許文献１】「ＵＢ−ＴＯＵＣＨ（ユビタッチ）」                     http://fuki4169.com/item_new_ub_touch.htm                     検索日  平成２４年６月７日
【考案の概要】
【考案が解決しようとする課題】
【０００８】
しかし、図１１に示すように平受けタイプのストライク１を使用すると、室内機１１がドア７の戸先側に寄り、図１２に示すように箱受けタイプのストライク３を使用すると、室内機１１がドア７の戸先から離れて取り付くこととなる。
【０００９】
そして、室内機１１と室外機は、それぞれの裏面側に取り付く裏板によってドア７に取り付き、両裏板はドア７を貫通する複数本のパイプ状の連結脚と止めネジで連結されて、連結後の室内機１１と室外機は中心軸を同じくして一体的に連結された構造となっている。
【００１０】
このため、既述したように室内機１１の取付位置がドア７の戸先側に寄ったり戸先から離れると、これに伴い室外機の取付位置もドア７の戸先側に寄ったり戸先から離れたりする。
【００１１】
ところが、図１３に示すように補助錠を取り付けるドア７には、レバーハンドル錠１３等の主錠が既設されている。そして、レバーハンドル錠１３のレバーハンドル１５やシリンダー１７は、例えば約６４ｍｍのバックセットＢ／ＳのラインＬ上に配置されている。
【００１２】
バックセットＢ／Ｓとは、錠のフロント面（ドアの先端）からノブ（ハンドル）またはシリンダーの中心までの水平方向の寸法を指す用語で、一つのシリーズ（一機種）でバックセットＢ／Ｓが２〜３種類もある錠も稀にある。
【００１３】
このため、室内機１１の取付位置に応じて室外機の取付位置がドア７の戸先側に寄ったり戸先から離れてしまうと、外部から人目に付く室外機の取付位置がレバーハンドル１５とシリンダー１７のラインＬ上からずれて、美観が悪化してしまう虞があった。
【００１４】
本考案は斯かる実情に鑑み案出されたもので、ドアへの室外機等の開錠装置の取付位置を常に一定の位置に保つことができる鍵の補助錠を提供することを目的とする。
【課題を解決するための手段】
【００１５】
斯かる目的を達成するため、本考案は、ドアの外側に取り付く開錠装置と、ドアの内側に取り付き、操作部材の操作でボックスから突出するデットボルトを備えた施錠開錠装置付き室内ボックスと、ドアを貫通して前記開錠装置と施錠開錠装置付き室内ボックスを一体的に連結する連結脚とを有する鍵の補助錠において、前記デットボルトを、操作部材の操作で前記施錠開錠装置付き室内ボックスの左右両方向へ突出可能に形成して、当該施錠開錠装置付き室内ボックスを上下に反転させて使用可能とすると共に、前記連結脚で開錠装置に連結された施錠開錠装置付き室内ボックスの上下方向の中心軸を、当該開錠装置の上下方向の中心軸より横方向へ偏倚させたことを特徴とする。
【考案の効果】
【００１６】
本考案によれば、デットボルトを受けるストライクの施工方法に応じ、室内機等の施錠開錠装置付き室内ボックスの上下を反転させてドアに取り付けることで、ドアへの室外機等の開錠装置の取付位置を常に一定の位置に保つことができる。
【００１７】
このため、開錠装置の取付位置をドアに既設された主錠のバックセットに合わせることで、人目につく開錠装置を主錠のバックセットのライン上に取り付けることができる利点を有する。
【図面の簡単な説明】
【００１８】
【図１】ドアに取り付く補助錠の一実施形態における室内機の正面図である。
【図２】ドアに取り付く補助錠の一実施形態における室内機の斜視図である。
【図３】ドアに取り付く補助錠の一実施形態における室外機の正面図である。
【図４】ドアに取り付く補助錠の一実施形態における室外機の斜視図である。
【図５】補助錠の室内機と室外機の連結構造を説明するドアの断面図である。
【図６】ドアに取り付く補助錠の一実施形態における室内機の正面図である。
【図７】ドアに取り付く補助錠の一実施形態における室内機の斜視図である。
【図８】ドアに取り付く補助錠の一実施形態における室外機の正面図である。
【図９】ドアに取り付く補助錠の一実施形態における室外機の斜視図である。
【図１０】補助錠の室内機と室外機の連結構造を説明するドアの断面図である。
【図１１】ドアに取り付く従来の補助錠における室内機の正面図である。
【図１２】ドアに取り付く従来の補助錠における室内機の正面図である。
【図１３】ドアに取り付くレバーハンドル錠のバックセットを説明するシリンダーとレバーハンドルの正面図である。
【考案を実施するための形態】
【００１９】
以下、本考案の実施形態を図面に基づいて詳細に説明する。
【００２０】
図１乃至図１０は本考案の一実施形態に係る補助錠を示し、本実施形態は、図１１の従来例と同様、タッチパネル非接触ＩＣ式の電気錠に本考案を適用したものである。
【００２１】
図中、２１はドア２３の内側に取り付くボックス状の室内機、２５はドア２３の外側に取り付く室外リーダー等のボックス状の室外機を示し、室内機２１は施錠開錠装置付き室内ボックスの一例で、室外機２５は開錠装置の一例である。また、ドア２３は右勝手ドアである。
【００２２】
図１に示すように室内機２１には、ドア２３の施錠の役目をするデットボルト２７や、デットボルト２７の操作を手動で行うサムターン２９、デットボルト２７の操作を電動で行うスイッチ３１が装着されている。サムターン２９とスイッチ３１は操作部材の一例である。
【００２３】
サムターン２９とスイッチ３１は室内機２１の正面中央に横方向に並設されている。サムターン２９は正面視円形状に形成され、室内機２１の一側方に偏倚して配置されている。一方、スイッチ３１はサムターン２９の外周に沿って正面視略三日月形状に形成されて、室内機２１の他側方に偏倚して配置されており、サムターン２９とスイッチ３１全体の外形形状が正面視トラック形状にデザインされている。そして、サムターン２９やスイッチ３１の操作で、デットボルト２７が室内機２１の左右両方向へ突出するように構成されている。
【００２４】
このようにサムターン２９とスイッチ３１を室内機２１の正面中央に横方向に並設し、サムターン２９やスイッチ３１の操作でデットボルト２７が室内機２１の左右両方向へ突出するように構成した結果、室内機２１は上下に反転させて使用可能である。
【００２５】
一方、図示しないが室外機２５には、従来と同様、ＩＣカードや携帯電話の暗唱番号を読み取る認識部分やテンキーボードが設けられている。
【００２６】
そして、図５及び図１０に示すように室内機２１と室外機２５は、それぞれの裏面側に取り付く裏板（図示せず）を介してドア２３に取り付き、両裏板はドア２３を貫通する複数本のパイプ状の連結脚３３とこれらに螺着する止めネジ３４とで連結されて、連結後の室内機２１と室外機２５は一体的な構造となっている。
【００２７】
而して、本実施形態の補助錠３５をドア２３に取り付ける場合、デットボルト２７を受けるストライクをドア枠３７に取り付けるが、図１１及び図１２の従来例と同様、デットボルト２７の位置やドア２３の仕様等に応じ、図１、図２に示す箱受けタイプのストライク３９と、図６、図７に示す平受けタイプのストライク４１が適宜選択される。
【００２８】
しかし、図１、図２及び図５に示すように箱受けタイプのストライク３９を使用すると、室内機２１がドア２３の戸先４３から離れて取り付き、図６、図７及び図１０に示すように平受けタイプのストライク４１を使用すると、室内機２１がドア２３の戸先４３側に寄って取り付くこととなる。
【００２９】
そして、既述したように室内機２１と室外機２５は複数本の連結脚３３で一体的に連結された構造であるが、室内機２１の取付位置がドア２３の戸先４３側に寄ったり戸先４３から離れても、人目の付く室外機２５の取付位置がずれることがなく、室外機２５がドア２３に既設された主錠のバックセットのライン上に来ることが好ましい。
【００３０】
そこで、図５及び図１０に示すように本実施形態は、室内機２１と室外機２５を連結脚３３と止めネジ３４で一体的に連結した際に、室内機２１の上下方向の中心軸Ｏが、室外機２５の上下方向の中心軸Ｐから横方向（補助錠３５の左右方向）へ偏倚するように構成したことを特徴としている。
【００３１】
これにより、例えば図５の如く室内機２１と室外機２５が連結脚３３と止めネジ３４で連結されて、室外機２５の中心軸Ｐに対し室内機２１の中心軸Ｏがドア２３の戸先４３と反対側へ偏倚していても、図１０の如く室内機２１の上下を反転させて室外機２５に連結すると、反対に室外機２５の中心軸Ｐに対し室内機２１の中心軸Ｏがドア２３の戸先４３側へ偏倚することとなる。そして、このように室内機２１の上下を反転させて室外機２５に連結しても、室外機２５の中心軸Ｐは常にドア２３の戸先４３から一定の距離にあり、室外機２５の取付位置は常に一定である。そして、この一定の取付位置は、ドア２３に既設された主錠のバックセットのライン上に中心軸Ｐが来るように設定されている。
【００３２】
また、このように室内機２１の上下を反転させることでデットボルト２７の位置が調整され、これに応じて使用するストライク３９、ストライク４１が選択される。或いはまた、逆に、使用するストライク３９、ストライク４１が選択されることでデットボルト２７の位置が調整され、取り付ける室内機２１の上下が選択される。
【００３３】
本実施形態に係る補助錠３５はこのように構成されているから、主錠が既設されたドア２３に補助錠３５を取り付ける場合、デットボルト２７の位置やドア２３の仕様等に応じ、図１の箱受けタイプのストライク３９か図６の平受けタイプのストライク４１が選択される。
【００３４】
或いはまた、室内機２１の上下を反転させ、ドア２３への取付位置を決めてデットボルト２７の位置を調整することで、図１の箱受けタイプのストライク３９か図６の平受けタイプのストライク４１が選択される。
【００３５】
そして、例えば図５の如く箱受けタイプのストライク３９を選択してドア枠３７に取り付ける場合、図１０の如く平受けタイプのストライク４１をドア枠３７に取り付けた場合に比し、デットボルト２７の位置を戸先４３から離す必要がある。
【００３６】
従って、この場合には、図５の如く室外機２５の中心軸Ｐに対し室内機２１の中心軸Ｏがドア２３の戸先４３と反対側に偏倚するように室内機２１の上下を決めると共に、室外機２５の取付位置に応じて室内機２１の裏板をドア２３に取り付け、この裏板に室内機２１を取り付ければよい。
【００３７】
また、図１０の如く平受けタイプのストライク４１を選択してドア枠３７に取り付ける場合には、図５の如く箱受けタイプのストライク３９をドア枠３７に取り付けた場合に比し、デットボルト２７の位置を戸先４３側へ寄せる必要がある。
【００３８】
従って、この場合には、図１０の如く室外機２５の中心軸Ｐに対し室内機２１の中心軸Ｏがドア２３の戸先４３側に偏倚するように室内機２１の上下を決めると共に、室外機２５の取付位置に応じて室内機２１の裏板をドア２３に取り付け、この裏板に室内機２１を取り付ければよい。
【００３９】
そして、図５及び図１０のいずれの室内機２１と室外機２５の取付けにおいて、ドア２３に既設された主錠のバックセットのライン上に中心軸Ｐが来るように室外機２５がドア２３に取り付くこととなる。
【００４０】
このように本実施形態によれば、使用するストライク３９、４１の施工方法に応じ室内機２１の上下を反転させることで室内機２１の取付位置がドア２３の戸先４３側に寄ったり戸先４３から離れても、人目につく室外機２５を、常に主錠のバックセットのライン上に取り付けることができる利点を有する。
【００４１】
尚、前記実施形態は、補助錠３５を右勝手のドア２３に取り付けたものであるが、室内機２１の上下を反転させて使用可能な本実施形態の補助錠３５は、左勝手のドアにも適用可能である。
【００４２】
また、前記実施形態は、タッチパネル非接触ＩＣ式の電気錠に本考案を適用したものであるが、本考案は、シリンダー等の室外に取り付く開錠装置と、これに一体的に連結脚で連結されて室内側に取り付く施錠開錠装置付き室内ボックスとで構成された従来の鍵またはメカニカルなテンキーボタンで開錠をする補助錠にも適用可能である。
【符号の説明】
【００４３】
２１  室内機
２３  ドア
２５  室外機
２７  デットボルト
２９  サムターン
３１  スイッチ
３３  連結脚
３５  補助錠
３７  ドア枠
３９  箱受けタイプのストライク
４１  平受けタイプのストライク
４３  戸先
Ｏ  室内機の中心軸
Ｐ  室外機の中心軸
【図１】
0003178063.tif 000003
【図２】
0003178063.tif 000004
【図３】
0003178063.tif 000005
【図４】
0003178063.tif 000006
【図５】
0003178063.tif 000007
【図６】
0003178063.tif 000008
【図７】
0003178063.tif 000009
【図８】
0003178063.tif 000010
【図９】
0003178063.tif 000011
【図１０】
0003178063.tif 000012
【図１１】
0003178063.tif 000013
【図１２】
0003178063.tif 000014
【図１３】
0003178063.tif 000015